(57)【要約】【課題】防犯的に優れた新規なるドアシステムを提供する。【解決手段】対向する同形の溝部を有する一対のガイドレールを設けるとともに、一方のガイドレールをドア枠に他方のガイドレールをドアに対向近接させて取付可能とし、溝部内を移動可能なる可撓性帯体を設けるとともに、該帯体の移動手段を設けたことを特長とする。【選択図】  図４
2005061188.tif 000002
【特許請求の範囲】
【請求項１】
対向する同形の溝部を有する一対のガイドレールを設けるとともに、一方のガイドレールをドア枠に他方のガイドレールをドアに対向近接させて取付可能とし、溝部内を移動可能なる可撓性帯体を設けるとともに、該帯体の移動手段を設けたことを特長とする防犯ドアシステム。
【発明の詳細な説明】
【技術分野】
【０００１】  この発明は、キーを用いずにドアのロックおよび解除を行う方式による防犯ドアシステムに関する。
【背景技術】
【０００２】  従来より、住宅などのドアには防犯機構が採用されているが、その大半はキー穴にキーを差し込んで回すことにより、ドアのロックおよび解除を行うものであり、本発明にて示すように、一般のキーを用いずにドアのロックと解除のできる手段は見当たらない。
【発明の開示】
【発明が解決しようとする課題】
【０００３】  現在、既述のようなキーを用いる防犯方法が多用されているが、ピッキングが問題視されている。これは犯罪者が専用の工具を用いて専用のキーを用いずにドアのロックを解除するものである。そのため、ピッキング対策を講じた新規なキー方式も開発されているが、所詮イタチゴッコであり、十分な防犯効果は難しいのが現状である。
本発明は以上のような従来からの防犯手段に関わる課題を解決するために発明されたもので、キー方式を用いずにドアのロックと解除を行うことのできる新規な防犯手段を提供することを目的として開発されたものである。
【課題を解決するための手段】
【０００４】  課題を解決する手段として本発明は、一対のガイドレールをドアとドア枠に取り付け、ガイドレール内を移動可能なるスチールベルトを設けてその主要部を構成した。
すなわち、対向する同形の溝部を有する一対のガイドレールを設けるとともに、一方のガイドレールをドア枠に他方のガイドレールをドアに対向近接させて取付可能とし、溝部内を移動可能なる可撓性帯体を設けるとともに、該帯体の移動手段を設ける。
本発明は以上の構成よりなる防犯ドアシステムである。
【発明の効果】
【０００５】  本発明によれば、ドアとドア枠に取り付けたガイドレール内をスチールベルトが出入り可能に構成し、またリモコン操作にてこのスチールベルトの移動を行うことができるので、従来のようにキーを用いてドアのロックおよび解除を行う方式と異なり、ピッキングその他の手段によるドアの開閉を不可能とし、防犯上有効なる新規な防犯ドアシステムを提供することができる。
【実施例１】
【０００６】  以下、本発明の実施例について説明する。
図１〜図６は本発明の第１実施例である。図において、１はドア枠、２はドア本体である。３はドアおよびドア枠の内面上方から外面に向けて斜方に設けられる所定幅のスリット、４はドア外面およびドア枠外面の上部から下部まで位置してドア外面にビス止めされるガイドレールである。このガイドレールは断面略台形状で縦に二分割され、その底辺部分をドアおよびドア枠外面に接して相互に近接して取り付けられる。
ガイドレール中央の上下にはスチールベルト挿通溝５が形成され、また一方のスチールベルト挿通溝に沿ってワイヤー挿通孔６が平行に設けられる。このスチールベルト挿通溝とワイヤー挿通孔間には隔壁が存在するが、この隔壁最下位置は切除され、プーリー７が軸支される。ガイドレール中間部には切り欠き部８が設けられ、この切り欠き部に前記スリット下部が接している。
９はスチールベルト挿通溝に挿通可能なスチールベルトで、鋼線を編み込んだ可撓性長尺物体であり、その下端側面には凸部１０が添設される。１１はワイヤーで、ワイヤー挿通孔内に位置し、その一端はプーリーに接してスチールベルト下部側面に取り付けられる。
１２は駆動ボックスで、ドア上方の壁面適所に取り付けられる。この駆動ボックスは２種のドラムと各々の駆動モーターおよびセンサーを内蔵し、各ドラムにはスチールベルトおよびワイヤーが巻回される。なお、ガイドレール側面にはその上下に沿って縦長の間隙１３が設けられる。以上が本発明の第１実施例である。【０００７】  次ぎに本例の作用について説明する。
本例の使用においては専用のリモコン機を用いる。ドアの非ロック時はスチールベルトは駆動ボックス内のドラムに巻き取られており、スチールベルト下端はドア上端より上に位置しているのでドアは自由に開閉できる。
ドアをロックするときは、リモコン機を操作して信号を発信し、駆動ボックスのセンサーがこの信号を受信してドラムのモーターが作動を開始し、ワイヤーを巻き上げる。
このワイヤーはプーリーを介してスチールベルト下部に取り付けられているので、スチールベルトは下に引っ張られ、ドアとドア枠に位置するスリットに挿入を開始し、次第に下方へと移動して切り欠き部を通過してガイドレールのスチールベルト挿通溝内を下方に移動し、ドア下端近傍にて停止する。この移動時に凸部はガイドレールの間隙部分に沿って移動し、スチールベルトのガイドとなる。
この状態においてガイドレールの一方はドアに、他方はドア枠に固定され、かつ双方のガイドレールのスチールベルト挿通溝間にスチールベルトが挿通されている。
従って、ドアを開けようとしてもスチールベルトがこれを阻止し、ドアのロック状態が維持される。ロック解除のときは、リモコン操作にてスチールベルトを巻き上げて初期状態へ戻すことによりなされる。なおこのとき、ワイヤードラムはフリーの状態となり、ワイヤーはプーリーを介してスチールベルトとともに移動する。
【実施例２】
【０００８】  図１１〜図１６は本発明の第２実施例である。前例がガイドレールをドアおよびドア枠の外面に取り付けたのに対し、本例はドアとドア枠の内部にガイドレールを取り付けたもので、機能的には前例と同様である。また、ドアとドア枠に設けられるスリットは、前例が内面から外面に至っているのに対し本例は中間までとなり、このスリット下端にガイドレール上端が接して位置する。なお、以上の２例ともにスリットとガイドレールの接点部分は曲面状に形成し、スチールベルトのス厶ースな出入りに配慮している。【０００９】  図７〜図９および図１０は本発明の補足的例を示したものである。これはプレートキーを用いてドアの内側からドアロックを行う方式である。このプレートキーは図７に示すプレートキー２０と、図８に示すプレートキー２１のいずれかが用いられる。
使い方は例えば図９に示すようにドア内側のスリット上端からプレートキー２０を挿入すると、このプレートキー２０には段部があるので、この段部上方の幅広部分がスリットに当接してプレートキーの位置が定まり、ドアのロックが可能となり、プレートキーを抜き去ることでロック解除ができる。この方式は既述のスチールベルト挿入と合わせて使用でき、あるいはプレートキー単独で使用してもよい。
プレートキー２１は中央に切り欠き部分がある形状で、これを使用するときは図１０にて示すようにスリット上端近傍に小凸部２２を設けることで、切り欠き部がこの小凸部に当接することで同様の効果を得ることができる。なお、プレートキー２１の幅はスリット幅よりわずかに狭いサイズである。【００１０】  以上が本発明の概要であるが、実施例では帯体にスチールベルトを用いたが、他に小板体をリンク状に接続して可撓性をもたせた帯体としてもよい。また、ドアとドア枠の内面にガイドレールを取り付ける方式も可能である。そして駆動ボックスにリモコンからの信号受信部を内外に２個所設けることで、ドア外とドア内の双方からのリモコン操作を行うことができる。以上のごとく、本発明により防犯的に優れたドアシステムを得ることができる。
【図面の簡単な説明】
【００１１】
【図１】本発明の第１実施例における装備説明図
【図２】本発明の第１実施例におけるスリット部分説明図
【図３】本発明の第１実施例におけるスリット部分説明図
【図４】本発明の第１実施例における要部構造説明図
【図５】本発明の第１実施例における要部構造説明図
【図６】本発明の第１実施例における機構説明図
【図７】本発明のプレートキーの平面図
【図８】本発明のプレートキーの平面図
【図９】本発明のプレートキーの使用説明図
【図１０】本発明のプレートキー２１を使用する場合のスリット形状説明図
【図１１】本発明の第２実施例における装備説明図
【図１２】本発明の第２実施例におけるスリット部分説明図
【図１３】本発明の第２実施例におけるスリット部分説明図
【図１４】本発明の第２実施例における要部構造説明図
【図１５】本発明の第２実施例における要部構造説明図
【図１６】本発明の第２実施例における機構説明図
【符号の説明】
【００１２】１    ドア枠
２    ドア
３    スリット
４    ガイドレール
５    スチールベルト挿通溝
６    ワイヤー挿通孔
７    プーリー
８    切り欠き部
９    スチールベルト
１０  凸部
１１  ワイヤー
１２  駆動ボックス
１３  間隙
２０  プレートキー
２１  プレートキー
２２  小凸部
【図１】
2005061188.tif 000003
【図２】
2005061188.tif 000004
【図３】
2005061188.tif 000005
【図４】
2005061188.tif 000006
【図５】
2005061188.tif 000007
【図６】
2005061188.tif 000008
【図７】
2005061188.tif 000009
【図８】
2005061188.tif 000010
【図９】
2005061188.tif 000011
【図１０】
2005061188.tif 000012
【図１１】
2005061188.tif 000013
【図１２】
2005061188.tif 000014
【図１３】
2005061188.tif 000015
【図１４】
2005061188.tif 000016
【図１５】
2005061188.tif 000017
【図１６】
2005061188.tif 000018